(57)【要約】本発明は、色彩選択のためのフレーム／マスクユニット（９，２０）を含む陰極線管に関し、陰極線管の周囲の一般的な振動によって引き起こされるマスクのスカート部の不要な動作を最小限化するよう、マスクのスカート部の自由端（１５）はフレーム（２０）に固定されたブラケット（３０）によって保持される。
2006513549.tif 000002
【特許請求の範囲】
【請求項１】
当該陰極線管の長手軸に対して実際的に直交し、且つ、表面に発光スクリーンが蒸着された実質的に長方形の面板と、
前記長手軸に対して実質的に直交する有孔面と、前記長手軸と実質的に平行な方向に屈曲した周辺スカート部とを含み、且つ、前記発光スクリーンに面して配置された色彩選択マスクと、
一組の長尺の側部及び一組の短尺の側部から成り、各側部が前記長手軸と実質的に平行なフランジ部を示し、且つ、前記マスクの前記周辺スカート部が複数地点で前記フランジ部に溶接された実質的に長方形のフレームとを含み、
該フレームは、前記側部の前記フランジ部上に配置され、且つ、前記マスクの前記スカート部と接触するラグを含み、該ラグは、前記スカート部の自由端と少なくとも部分的にオーバーラップする、
ことを特徴とする陰極線管。
【請求項２】
前記ラグを含む前記フレームの反対側部は、前記ラグが固定される前記フレームの側部と平行な方向において、前記マスクの前記自由端の長さの少なくとも９０％に亘って延びていることを特徴とする請求項１に記載の陰極線管。
【請求項３】
前記ラグは、前記長手軸の方向に沿って前記スカート部の長さの少なくとも５０％でオーバーラップするよう、前記長手軸方向に延びていることを特徴とする請求項１に記載の陰極線管。
【請求項４】
前記ラグは、前記フレームの材料を部分的に切り取ることによって形成されることを特徴とする請求項１に記載の陰極線管。
【請求項５】
前記ラグと前記フランジ部の表面との間に作り出される空間は、前記マスクの厚さの３倍〜８倍の間であることを特徴とする請求項１に記載の陰極線管。
【発明の詳細な説明】
【技術分野】
【０００１】
本発明は、実質的に平坦なスクリーンを有する色彩陰極線管に関し、より詳細には、フレーム／色彩選択マスクアセンブリを備える色彩陰極線管に関する。
【背景技術】
【０００２】
本発明は、色彩選択マスクを含む如何なる種類の陰極線管にも適用可能であり、より具体的には、マスクがスタンピングによって形成され、且つ、剛的なフレームに固定されるマスクがフレームによって陰極線管内の所定位置に保持される陰極線管に特に適している。
【０００３】
従来技術の色彩陰極線管は、真空のガラス外被から成る。外被内において、陰極線管はそのガラス面板から精密な距離に位置する色彩選択マスクを含み、スクリーンを形成するよう、赤色、緑色及び青色の蛍光体グリッドが前記面板上に蒸着されている。陰極線管の内部の後部に配置された電子銃が、面板に向けられた３つの電子ビームを発生する。蛍光体グリッドが蒸着されたパネル表面を電子ビームによって走査するよう、一般的に陰極線管の外部に、電子銃に近接して配置される電磁偏向装置は、電子ビームを偏向する機能を有する。各々特定の原色に対応する３つの電子ビームの影響下で、蛍光体グリッドは、色彩映像をスクリーン上で再生することを可能にし、マスクは、各特定のビームが対応する色彩の蛍光体のみを照明することを可能にする。
【０００４】
色彩選択マスクは、陰極線管の動作中、陰極線管内の精密な位置に配置され且つ保持されなければならない。マスク保持機能は概ね極めて剛的な長方形の金属フレームを用いて遂行され、マスクはこのフレームに溶接されるのが通常である。
【０００５】
フレーム／マスクアセンブリは、フレームに溶接され且つ陰極線管の面板を構成するガラスに挿入されるスタッドと協働する懸架手段を用いて、陰極線管の面板に取り付けられる。
【０００６】
色彩選択マスクは、極めて薄い金属箔から形成され、穿孔された表面、即ち、所謂有効面を含む。前記孔は化学的エッチング処理によって形成され、一般的に垂直列に配置される。有効面は孔無し周縁部によって囲まれている。一般的にスタンピングによって形成されるスカート部がアセンブリの縁部に沿って走り、有効面に対して実質的に直交する方向に延びる。マスクは、スカート部の複数地点におけるスポット溶接によって、フレームに固定される。面板が極めてより平坦である陰極線管は、極めて大きな曲率半径によって定められた内面及び外面を備えた完全に平坦な面板に向かって進展しているのが潮流である。
【０００７】
一般的に、マスクの表面及び陰極線の面板の内部形状の曲率が実質的に同一であるよう、マスク表面は、陰極線管の面板の内部形状に従わなければならない。
【０００８】
従来技術の陰極線管の色彩選択マスクは、曲率半径が中心ゾーンにおいて１又は２メータのオーダの小さい水平及び垂直プロファイルによって定められた表面を有する。この曲面は複雑な多項式によって表現することが可能であり、曲率半径の小さな値はマスクの表面の機械的な剛性を確実にする。
【０００９】
スクリーンが平坦に見える陰極線管の場合、マスクの表面を定める曲率半径も極めて大きな値である。この場合、陰極線管のスクリーンに面するマスクの表面は実質的に平坦であり、低い機械的剛性をもたらし、この結果、マスクは、例えば、前記陰極線管を備えるテレビジョンのラウドスピーカによって誘発される外部振動の影響を極めて受け易くなる。この場合、マスクは振動を開始し、スクリーンからの距離を変更し、よって、スクリーン上に形成される映像の変色を引き起こす。
【００１０】
マスク表面の剛性の引き上げを試みることによって振動を回避するために、様々な装置が開発されたが、完全な満足を示していない。
【００１１】
米国特許第６，１１１，３４８号は、マスク表面に垂直条線を生成することによってマスク表面の剛性を引き上げることからなる解決策を提案している。
【００１２】
米国特許第４，６４５，９６８号は、マスクのスカート部が支持フレームに溶接され、フレームがマスクのスカート部に接触する溶接部の間に現れる浮き彫り部材を含む色彩陰極線管フレーム／マスク構造を開示している。この構造はマスクの振動を部分的に制振するが、この改良は極めて平坦なマスク表面を示す大きな寸法の陰極線管には不十分である。
【発明の開示】
【発明が解決しようとする課題】
【００１３】
本発明は、マスクのスカート部の動作に関係し、陰極線管の周囲に引き起こされる振動によって生成されるこれらのスカート部の動作がマスクの挙動に負の影響を有すること、並びに、これらの動作が最大限回避されることが必要であることが分った。
【課題を解決するための手段】
【００１４】
従って、本発明に従った陰極線管は、陰極線管の長手軸に対して実際的に直交し、且つ、表面に発光スクリーンが蒸着された実質的に長方形の面板と、長手軸に対して実質的に直交する有孔面と、長手軸と実質的に平行な方向に屈曲した周辺スカート部とを含み、且つ、発光スクリーンに面して配置された色彩選択マスクと、一組の長尺の側部及び一組の短尺の側部から成り、各側部が長手軸と実質的に平行なフランジ部を示し、且つ、マスクの周辺スカート部が複数地点でフランジ部に溶接された実質的に長方形のフレームとを含み、フレームは、側部のフランジ部上に配置され、且つ、マスクのスカート部と接触するラグを含み、ラグは、スカート部の自由端と少なくとも部分的にオーバーラップすることを特徴とする。
【００１５】
本発明の原理及び利点は、以下の記載及び図面の助けを得て、より良く理解されるであろう。
【発明を実施するための最良の形態】
【００１６】
図１は、真空の外被２から成る陰極線管１を示しており、外被２は、実質的に長方形の面板３と、円筒形のネック部５で終端する漏斗状の後部４とを含む。面板はその最大寸法と平行な水平軸Ｘと、その最小寸法と平行な垂直軸Ｙとから定められ、Ｘ軸及びＹ軸は面板の中心で交差し、円筒形のネック部５の中心及び面板３の中心を通じる主長手軸Ｚに対し直交している。
【００１７】
発光材料のスクリーン６が面板３の内部上に蒸着され、これらの発光性材料は陰極線管のネック部内に配置された電子銃８から放射される電子ビーム７の走査によって励起される。
【００１８】
電子ビームの走査は、陰極線管のネック部上に配置された磁気偏向装置１２によって遂行される。
【００１９】
色彩選択マスク９がガラス外被の内部に配置され、色彩選択マスクは、スクリーン６の表面と実質的に平行な有孔面１０と、長手軸Ｚと実質的に平行な方向に屈曲したスカート部１１とを含む。
【００２０】
マスクを発光スクリーンから厳密な位置に位置付けるよう、Ｌ字形状部のフレーム２０がガラス外被の内部に取り付けられている。フレーム２０は、実際上Ｚ軸と平行な方向に延びるフランジ部２１を含む。マスクのスカート部１１はフレームの内側に配置され、フランジ部２１にスポット溶接されている。
【００２１】
フレーム／マスクアセンブリは、ガラス外被内に含まれるスタッド１３を用いて、フレームに固定されたスプリングと協働して、ガラス外被内の所定位置に保持される。
【００２２】
図２及び３は、各々、フレーム／マスクアセンブリの一部を示す上面図及びフレーム／マスクアセンブリの断面図である。
【００２３】
マスクは、Ｚ軸と実質的に平行な方向に沿って屈曲されたスカート部１１によって囲まれた有孔活性面１０を含む。スカート部は自由端１５で終端している。スカート部はフレーム２０の内部に挿入され、概ねマスクの隅部及び長方形マスクの平行側辺の中央部に配置された数地点１６でフランジ部２１に溶接されている。ラグ３０が、フランジ部の様々な地点で、フレームのフランジ部に固定されている。これらのラグは例えば金属板から形成され、一端がフランジ部２１に溶接され、且つ、フレームとフランジ部２１に面するラグの表面３３との間に空隙３２を作り出すように屈曲されている。この空隙は、マスクのスカート部１１によって部分的に占められるよう意図されている。このようにして、マスクの自由端１５は、ラグが配置されている場所で、ラグ３０によって部分的にオーバーラップされている。マスクのスカート部１１は自由空間３２内に制約され、よって、スカート部の自由端の動作が制限される。
【００２４】
実質的に平坦な面板を備える陰極線管において、約２００μｍの厚さを備え、且つ、６８ｃｍのスクリーン対角線を有するマスクを用い、フレームのフランジ部間の空間３２は約１ｍｍの値Ｄで選択されるのが好ましい。陰極線管のサイズ、マスクの厚さ及び制振されるべき振動の主要周波数に依存して、空間Ｄはマスクの厚さの３〜８倍の間で選択されるのが好ましいことが経験上分っている。ラグによって及ぼされる機械的制約は、マスクの共振周波数の増大を引き起こし、１００Ｈｚ以上の値に至らせ、その効果を観察者の肉眼にとって実際上不可視にする。
【００２５】
その上、Ｚ軸方向における、ラグによるスカート部のオーバーラップ幅Ｌが、同一方向に沿ったスカート部の長さの少なくとも５０％である場合、ラグの効果が最大限化されることが分った。
【００２６】
ラグ３０は、フレームの一組の平行な側部又はフレームの４つの側部上に配置され得る。複数のラグがフレームの平行な側部上に配置される場合、ラグは、好ましくは、フレームがマスクに溶接される地点間に配置されるべきであることが分った。
【００２７】
フレームの側部に配置される複数のラグは、マスクの自由端１５の長さの半分以上とオーバーラップし、且つ、フレームの側部に沿って延びる単一のラグと有利に置換し得る。よって、６８ｃｍに等しい対角線を備える陰極線管に関して、本発明に従った単一ラグがフレームの各側部上に配置され、ラグがフレームの側部と平行な方向でマスクの自由端の長さの９０％とオーバーラップするとき、フレーム／マスクの共振周波数は１５０Ｈｚ以上の値とされ、マスクの動作を観察者の肉眼にとって不可視にする。本発明の実施態様はフレームのより迅速な製造を可能とし、フレームの側部毎に複数のラグを使用する場合と実質的に同等の結果をもたらす。
【００２８】
図２及び３の実施態様に例示されているようなラグ３０は、フレームの側部に溶接される追加部材から構成され得る。
【００２９】
ラグは、フランジ部それ自体を構成する材料からも形成され得る。従って、本発明の他の実施態様がラグ４０の形態で図４によって例示されている。ラグ４０は、フランジ部２１を構成する材料から形成されている。例えば、ラグが実質的に長方形状を有するとき、ラグの３つの側部はフレームの材料を切り取ることによって形成され、１つの側部４１はフレームと一体のままである。この場合、ラグとフレームのフランジ部との間に空間３２を作り出すために、フランジ２１と実質的に平行であり且つフランジ部から距離Ｄで位置する金属パネル４３を形成するよう、切り取られる材料はフレームの内側に向かって押し戻される。
【図面の簡単な説明】
【００３０】
【図１】色彩選択マスクを備える陰極線管の長手軸に沿った断面図である。
【図２】本発明に従ったフレーム／マスクアセンブリを部分的に示す上面図である。
【図３】図２の実施態様の軸Ａ'Ａに沿う断面図である。
【図４】他の実施態様の軸Ａ'Ａに沿う断面図である。
【図１】
2006513549.tif 000003
【図２】
2006513549.tif 000004
【図３】
2006513549.tif 000005
【図４】
2006513549.tif 000006
【国際調査報告】
2006513549.tif 000007
2006513549.tif 000008
2006513549.tif 000009
2006513549.tif 000010
2006513549.tif 000011
2006513549.tif 000012